(57)【要約】      （修正有）【課題】外装に曲面形状やザグリ形状等余分な凹みを持たせることなく、さらに蓋のスライド方向にも空間の無い状態で部品を配置することを可能にして、筐体の外観と連続性を保ちながら、周囲の部品構成に影響を与えない蓋開閉装置を提供する。【解決手段】回動することによって開閉動作を行なう蓋開閉装置において、外蓋２の回転軸８側の外形端２ｅが筺体１の外形端１ｃに押されて外蓋２がＣ方向にスライド動作することができ、外蓋２は回転動作と同時に回転軸の法線方向にスライド動作を行なう。【選択図】図７
2007026763.tif 000002
【特許請求の範囲】
【請求項１】
回動することによって開閉動作を行なう蓋開閉装において、回転動作と同時に回転軸の法線方向にスライド動作を行なうことを特徴とする蓋開閉装置。
【請求項２】
回転軸の法線方向へのスライド動作を蓋または装置本体に配設されたカム形状によって行なうことを特徴とする請求項１記載の蓋開閉装置。
【請求項３】
回転軸の法線方向へのスライド動作を蓋装置に配設されている弾性体の反力によって行なうことを特徴とする請求項１記載の蓋開閉装置。
【請求項４】
回転軸の法線方向へのスライド動作を回転軸と蓋装置に配設されたリンク機構によって行なうことを特徴とする請求項１記載の蓋開閉装置。
【請求項５】
回転軸の法線方向へのスライド動作を回転軸と蓋装置に配設されたラック＆ピニオンによって行なうことを特徴とする請求項１記載の蓋開閉装置。
【発明の詳細な説明】
【技術分野】
【０００１】
本発明は電子機器の蓋開閉装置の開閉機構に係わる蓋開閉装に関するものである。
【背景技術】
【０００２】
従来の回動式の蓋開閉装置では蓋の回転軸付近の形状は回転軸に沿った曲面形状を有している（特許文献１参照）（図１４）。または、回転軸付近の装置本体外装部にザグリ形状が設けられていた。または、装置本体の外装面と蓋装置の外装面を連続な面に揃える為には、蓋を回転軸の法線方向に一度スライド動作させる必要から、装置本体側面にスライド可能な空間が設けられていた（特許文献２参照）（図１５）。
【特許文献１】特開平０５−１５８１４０号公報  第７頁  第４図
【特許文献２】特開２００４−５５２８２号公報  第７頁  第２図
【発明の開示】
【発明が解決しようとする課題】
【０００３】
しかしながら従来の回動式の蓋開閉装置では蓋の回転軸付近の形状は回転軸に沿った曲面形状になっていたり、または、回転軸付近の装置本体外装部にザグリ形状が設けられていた為に、装置本体の外装面と蓋装置の外装面が非連続面となっていた。または、装置本体の外装面と蓋装置の外装面を連続な面に揃える為には、蓋を回転軸の法線方向に一度スライド動作させる必要から、装置本体側面にスライド可能な空間を設ける必要があり、外装の意匠・部品配置に制約を持っていた。
【０００４】
本出願に係る発明の目的は、外装に曲面形状やザグリ形状等の余分な凹みを持たせることなく、さらに蓋のスライド方向にも空間の無い状態で部品を配置することを可能にすることである。
【課題を解決するための手段】
【０００５】
本発明の蓋開閉装置は、蓋の回動動作を直線運動に変換することによって、回転動作と同時に回転軸の法線方向にスライド動作を行なうことを特徴としている。
【０００６】
また、本発明のスライド動作は蓋または装置本体に配設されているカム形状によって行なう。または、蓋に配設されている弾性体によって行なわれる。または回転軸と蓋に配設されたリンク機構により行なわれる。または回転軸と蓋装置に配設されたラック＆ピニオンによって行なうことを特徴としている。
【０００７】
これらのいずれの手法を用いても本発明の目的は達成することができる。
【発明の効果】
【０００８】
本発明によれば、余分な曲面やザグリ形状による溝を設けることなく、蓋の開閉機構を配設することができる為、外観の意匠を害することが無くなる。また、スライド方向への空間の確保が必要ない為、蓋装置のスライド方向に蓋装置に近接させて構造物を配置することが可能になる。
【発明を実施するための最良の形態】
【０００９】
本発明に係る電池蓋の開閉機構は、通常、携帯型の電子・電気機器に用いられる。
【実施例１】
【００１０】
実施の形態である携帯型のデジタルカメラ装置１には、その底面部に形成された電池・記録媒体収納部の蓋である蓋開閉装置が開閉自在に取り付けられている。
【００１１】
この蓋開閉装置は、例えば図１乃至図１０に示すように電池収納部に電池６を挿脱する電池収納部開口部４が設けられ、記録媒体収納部に記録媒体７を挿脱する記録媒体収納部開口部５が設けられ、この記録媒体収納開口部５の近傍に設けられた筐体１に対して摺動可能な係合凸部３ａを有する係合部材３と、係合凸部３ａを筐体１から突出させる方向に係合部材３を付勢する図示しない弾性体と、筐体１に保持された回転軸８と、回転軸８に対して回転自在に保持された内蓋１１と、案内溝２ａを有し相対する内蓋１１の外形１１ａに沿ってスライド動作する外蓋２と、一方の端部が電池収納開口部４近傍の筐体１の掛止部に掛け止められ、他方の端部が内蓋１１の掛止部に掛け止められる内蓋１１を開蓋する方向に付勢する弾性体９とを有して構成される。
【００１２】
外蓋２の外側は、全体として筐体１の外部形状の一部として形成されている。よって外蓋２が閉蓋された状態においては、筐体１の外観意匠を害さないように形成されている。また、外蓋２の内側には閉蓋時に弾性体９によって開蓋方向に回動しようとする力に抗するために外蓋２と一体となって取付られている係止部材１２が設けられている。閉蓋時に係止部材１２の係止部１２ａは係合部材３の係合凸部３ａによって係止されており、閉蓋状態から係合部材３の操作部３ｂをＡ方向にスライド動作させることにより係合凸部３ａが係止部１２ａから外れ、蓋開閉装置は回動可能になる。また、外蓋２には内蓋１１のスライド動作を規制する案内溝２ａが略平行に形成されており、この案内溝２ａと筐体１に回動自在に取り付けられた内蓋１１の外形１１ａが係合するように配設される。また、この外蓋２の案内溝２ａと内蓋１１の外形１１ａが摺動することにより電池蓋装置のスライド動作が行われる。また、外蓋２の内側には外蓋２と係止部材１２とを固定する為のネジ穴２ｂが形成されている。
【００１３】
内蓋１１には弾性体９が配置される凹部が形成されており、凹部の両端には凸部が形成されており、上記回転軸８に沿って巻きつけられ、内蓋１１を回動自在に筐体１に取り付ける。
【００１４】
弾性体９はコイルスプリングによって構成されており、一方の端部は筐体１に掛け止められ、もう一方の端部は内蓋１１の凹部近傍に穿設された穴に掛け止められるこれによって内蓋１１は開蓋方向に付勢されることとなる。
【００１５】
このようにして構成される蓋開閉装置は図４に示すように外蓋２の案内溝２ａに、内蓋１１と係止部材１２を互いの係止部１１ｂと１２ｂを接触させた状態で嵌入し係止部材１２の位置決め穴１２ｃが外蓋２の位置決めピン２ｃに嵌入するように取り付ける。そして係止部材１２のネジ穴１２ｄを通して外蓋２に穿設されたネジ穴２ｂにネジ１０を螺合することによって組みつけられる。このように構成される蓋開閉装置は図２に示すように電池収納開口部４と記録媒体収納開口部５とが蓋装置によって閉蓋される。この際外蓋２は筐体１の外形形状と一体となった状態になっている。
【００１６】
この際、係合部材３の操作部３ｂは図１に示すように操作部の右方向に位置している。また、この状態で係合部材３の係合凸部３ａは係止部材１２の係止部１２ａと係合している。係合部材３は弾性体により図１で言うところの右方向に常に付勢されているため、外力なしに係止部１２ａは係合凸部３ａから外れることはない。すなわち本蓋開閉装置は閉蓋時には図２に示すＢ方向への回動動作をすることはできない。
【００１７】
蓋開閉装置の閉蓋時に係合部材３は外装部に突出している操作部３ｂを図２に示すＡ方向に弾性体の弾性力に抗して操作されることでスライド動作される。係合部材３がスライド動作されると、係止部材１２の係止部１２ａが開放されることにより、蓋開閉装置の第１の動作である回動動作が可能になる。
【００１８】
本蓋開閉装置は、外観の意匠との連続性を保つ為に図５に示すように蓋装置と筐体１との間の隙間を最小限まで詰めている。その為、係合部材３がスライド動作して蓋装置が回動可能になってもそのままでは外蓋２が筐体１とぶつかってしまい、回動動作することができない。そこで、外蓋２には内蓋１１に対して、案内溝２ａが１１ａに沿って摺動可能に配置されていることにより、外蓋２は内蓋１１に対して外蓋２と一体となるように配設されている係止部材１２の係止部１２ｂが内蓋１１の係止部１１ｂと接触するまで図６に示すようにＣ方向にスライド動作することが出来る。これにより、図７に示すように外蓋２が回動動作していくに従って、外蓋の回転軸８側の外形端２ｄが筐体１の外形端１ｃに押されて外蓋２がＣ方向にスライド動作することができ、蓋装置の回動動作が外蓋２と筐体１の接触により阻害されることがなくなり、蓋装置は開蓋状態になることができる。
【００１９】
開蓋状態から蓋装置を閉蓋状態にするには、Ｂ方向と反対に蓋装置を回動動作させる。この際、そのままだとＣ方向にスライド動作した外蓋２が筐体１にぶつかり蓋を閉じることができない。そこで閉蓋動作時には外蓋２をＣ方向と逆の方向に自動的にスライド動作させる必要がある。
【００２０】
外蓋２には閉蓋時のスライド動作のカム形状２ｅが形成されている。一方、筐体１には同じく閉蓋時のスライド動作のカム形状１ａ、１ｂが蓋装置の左右両端付近に形成されている。閉蓋動作時の回動動作によって外蓋２のカム形状２ｅと筐体１のカム形状１ａ、１ｂが接触すると、そこからは操作者はスライド動作を意識することなく、回動動作の方向に力を加えるだけで、外蓋のカム形状２ｅに形成されたテーパ面に沿って筐体１のカム形状が外蓋２をＣ方向と逆の方向にスライド動作させることができる。これによって、本蓋開閉装置はスライド方向Ｃ側に大きな空間が存在せず、蓋装置の四方を筐体１に囲まれていたとしても、最小限の隙間を形成しておけば、動作を阻害されること無く開閉動作のできる装置を提供することができる。
【００２１】
また、閉蓋動作中に係止部材１２は係合部材３の係合凸部３ａに形成されたテーパ面に力をかけることになり、それによって係合部材３はＡ方向と逆の方向に弾性体の反力に抗して移動される。すると、蓋装置は閉蓋状態の位置まで回動動作が可能になる。蓋装置が閉蓋状態の位置まで回動動作されると、移動させられていた係合部材３は開放され弾性体の反力によって初期位置に復帰する。これによって、係合部材３の係合凸部３ａが係止部材１２の係止部１２ａを係止して、蓋装置は弾性体９の反力に抗して閉蓋状態となる。
【実施例２】
【００２２】
実施例１の蓋開閉装置においては、開蓋動作時に筐体１の外形１ｃに外蓋２の外形２ｅが接触して押されることによってスライド動作を行なっていたが、この外蓋２に弾性体１３を外蓋２をＣ方向に付勢するように配設し、開蓋時にはこの弾性体１３によってＣ方向へのスライド動作を行なう（図１１）。このことによって筐体と蓋体の外装の接触による傷、塗装剥がれ等の外観意匠の低下を回避することができる。
【００２３】
閉蓋時は実施例１と同様に外蓋２のカム形状２ｅと筐体１のカム形状１ａ、１ｂの接触によって外蓋はＣ方向と反対側へのスライド動作を行なう。
【００２４】
その他の開蓋方向への弾性体による付勢や係止等の構成は実施例１と同様である。
【実施例３】
【００２５】
実施例１の蓋開閉装置においては、開蓋動作時に筐体１の外形１ｃに外蓋２の外形２ｅが接触して押されることによってスライド動作を行なっていたが、このスライド機構を外蓋２に配設されたリンク機構により行なう。
【００２６】
図１２に示すように、回転軸にカム構造１４を配設し、回転動作に連動してカム機構１４が開蓋時にはＤ方向に閉蓋時はＤと逆の方向に移動しカム機構１４と連結されたリンク機構１５が開蓋時はＣ方向に閉蓋時はその逆の方向に外蓋をスライド動作させることによって蓋装置の開閉動作を行なう。このことによって実施例２と同様に筐体と蓋体の外装の接触による傷、塗装剥がれ等の外観意匠の低下を回避することができる。
【００２７】
その他の開蓋方向への弾性体による付勢や係止等の構成は実施例１と同様である。
【実施例４】
【００２８】
実施例１の蓋開閉装置においては、開蓋動作時に筐体１の外形１ｃに外蓋２の外形２ｅが接触して押されることによってスライド動作を行なっていたが、このスライド機構を外蓋２に配設されたギア列により行なう。
【００２９】
図１３に示すように、回転軸にウォームギア１６を、外蓋にピニオンギア、ラック１７を配設し、外蓋の回転動作に連動して開蓋時はＣ方向に閉蓋時はその逆の方向に外蓋をスライド動作させることによって蓋装置の開閉動作を行なう。このことによって、実施例２と同様に筐体と蓋体の外装の接触による傷、塗装剥がれ等の外観意匠の低下を回避することができる。
【００３０】
その他の開蓋方向への弾性体による付勢や係止等の構成は実施例１と同様である。
【図面の簡単な説明】
【００３１】
【図１】本発明に係るデジタルカメラの全体斜視図である。
【図２】本発明に係るデジタルカメラの蓋装置の開蓋状態を示す要部斜視図である。
【図３】同蓋装置の開蓋状態に電池、記録媒体を装填した状態を示す全体斜視図である。
【図４】本発明に係る蓋装置の分解斜視図である。
【図５】同蓋装置の閉蓋状態での外蓋と回転軸との位置関係を示した要部斜視図である。
【図６】同蓋装置のスライド動作後の外蓋と回転軸との位置関係を示した要部斜視図である。
【図７】同蓋装置の閉蓋状態の概略を示した要部断面図である。
【図８】同蓋装置の開蓋動作の途中の状態の概略を示した要部断面図である。
【図９】同蓋装置の開蓋状態の概略を示した要部断面図である。
【図１０】同蓋装置の閉蓋動作の途中の状態を示した要部断面図である。
【図１１】実施例２の蓋装置の概略図である。
【図１２】実施例３の蓋装置の概略図である。
【図１３】実施例４の蓋装置の概略図である。
【図１４】従来例の回転軸付近が曲面形状となっている蓋装置の例（特許文献１より抜粋）を示す図である。
【図１５】従来例のスライド方向に大きな空間が必要な蓋装置の例（特許文献２より抜粋）を示す図である。
【符号の説明】
【００３２】
１  デジタルカメラ筐体
２  外蓋
３  蓋装置をロックする係合部材
４  電池収納開口部
５  記録媒体収納開口部
６  電池
７  記録媒体
８  蓋装置の回転軸
９  蓋装置を回動させる弾性体
１０  蓋装置を組み立てるネジ
１１  回転のヒンジを持つ内蓋
１２  係合部材３と係合する係止部材
【図１】
2007026763.tif 000003
【図２】
2007026763.tif 000004
【図３】
2007026763.tif 000005
【図４】
2007026763.tif 000006
【図５】
2007026763.tif 000007
【図６】
2007026763.tif 000008
【図７】
2007026763.tif 000009
【図８】
2007026763.tif 000010
【図９】
2007026763.tif 000011
【図１０】
2007026763.tif 000012
【図１１】
2007026763.tif 000013
【図１２】
2007026763.tif 000014
【図１３】
2007026763.tif 000015
【図１４】
2007026763.tif 000016
【図１５】
2007026763.tif 000017